(57)【要約】【課題】  記録媒体のマーカを簡易に設定、変更できるようにする。【解決手段】  バッファメモリ上で編集点と決定した位置に対応するディスク上のアドレスを検出し、検出したディスク上のアドレスを編集点としてディスクに記録することにより、編集点を確定するまでの作業をメモリ上のアドレスを用いて行って確定した編集点の位置をディスク上のアドレスとして得、メモリ上のアドレスで決定した編集点をディスク上アドレスに変換した後、ディスクに記録するようにしたことにより、いちいち再生動作を繰り返さなくても、簡易に編集点を決定、変更できる。【選択図】        図１
2005093062.tif 000002
【特許請求の範囲】
【請求項１】
データを記録媒体に記録すると共に上記記録媒体に記録されているデータを読み出して再生する記録再生装置において、
上記記録媒体から読み出されたデータを蓄積するメモリ手段と、
上記記憶手段から読み出されたデータを出力する出力手段と、
上記記録媒体にデータを記録する記録手段と、
上記出力手段によるデータの出力中に編集点の設定が指示されたときには当該指示された際に出力中のデータの位置に対応する上記メモリ手段上のアドレスデータの位置にマーカを設定し、アドレス変更の操作が実行されたときには当該操作に応動してマーカの位置を移動させ、移動後のマーカの位置に対応する上記メモリ手段上のアドレスデータを上記マーカの位置として更新すると共に、更新された上記メモリ手段上のアドレスデータに対応する上記記録媒体上のアドレスデータを検出し、検出した上記記録媒体におけるアドレスデータを上記記録媒体に記録させる制御手段と
を備えることを特徴とする記録再生装置。
【請求項２】
編集点を設定する編集点設定操作子と、
アドレス変更のアドレス変更操作子と、
アドレス設定について確認するアドレス設定確認操作子と
を更に備え、
上記制御手段は、上記出力手段によるデータの出力中に上記編集点設定操作子が操作されたときには当該操作されたときに出力中のデータの位置に対応する上記メモリ手段上のアドレスデータの位置にマーカを設定し、上記アドレス変更操作子が操作されたときには当該操作に応動してマーカの位置を移動させ、移動後のマーカの位置に対応する上記メモリ手段上のアドレスデータを上記マーカの位置として更新すると共に、上記アドレス設定確認操作子が操作されたときには上記更新されたマーカの位置を示す上記メモリ手段上のアドレスデータに対応する上記記録媒体上のアドレスデータを検出し、検出した上記記録媒体上のアドレスデータを上記記録媒体に記録させる
ことを特徴とする請求項１に記載の記録再生装置。
【請求項３】
上記出力手段によるデータの出力中に編集点の設定が指示されたときには指示されたときに出力中のデータの位置に対応する上記メモリ手段上のアドレスデータの位置にマーカを設定し、設定された当該マーカの位置前後のデータを循環的に出力させる
ことを特徴とする請求項１に記載の記録再生装置。
【請求項４】
データの編集点を記録する記録方法であって、
記録媒体からデータを読み出すステップと、
読み出したデータをメモリ手段に蓄積するステップと、
上記メモリ手段から読み出されたデータを出力するステップと、
データの出力中に編集点の設定が指示されたときには当該指示されたときに出力中のデータの位置に対応する上記メモリ手段上のアドレスデータの位置にマーカを設定するステップと、
アドレス変更の操作が実行されたときには当該操作に応動してマーカの位置を移動させ、移動後のマーカの位置に対応する上記メモリ手段上のアドレスデータを上記マーカの位置として更新するステップと、
アドレス設定確認動作が実行されたときには上記更新されたマーカの位置を示す上記モリ手段上のアドレスデータに対応する上記記録媒体上のアドレスデータを検出し、検出した上記記録媒体上のアドレスデータを上記記録媒体に記録するステップと
を備えることを特徴とする記録方法。
【発明の詳細な説明】
【技術分野】
【０００１】
本発明は記録再生装置及び方法に関し、例えばディスク状記録媒体から記録情報を再生するディスク記録再生装置に適用し得る。
【背景技術】
【０００２】
従来、コンパクトディスクプレイヤ等のディスク再生装置においては、ディスク状記録媒体に光ビームを照射し、その反射光ビームに基づいて記録情報を再生し得るようになされている。
【０００３】
このコンパクトディスクプレイヤにおいては、再生データをリアルタイムで処理することにより、出力信号の伝送速度に対応して記録情報を再生し得るようになされている。
【発明の開示】
【発明が解決しようとする課題】
【０００４】
ところがコンパクトディスクプレイヤにおいては、再生データをリアルタイムで処理することにより、外部振動等で光ヘッドがトラックジャンプすると、いわゆる音飛びする欠点がある。
【０００５】
この場合大容量のバッファメモリを介して再生データを処理することにより、音飛びを有効に回避し得ると考えられる。
【０００６】
すなわちこの方法は、記録媒体から得られる再生データを大容量のバッファメモリに高速度で格納した後、出力信号の伝送速度に対応してこの再生データを処理する方法で、バッファメモリに再生データを格納する際、この再生データを記録順に、かつ間欠的に格納する。
【０００７】
このようにすればバッファメモリに格納した再生データを完全に処理する期間を利用して、トラックジャンプにより失われた再生データを繰り返し再生し得、これにより音飛びを有効に回避することができる。
【０００８】
ところがこの方法の場合、記録媒体から得られた再生データは、バッファメモリの容量で決まる時間だけ遅延して出力されることになる。
【０００９】
このためバッファメモリを介して再生データを処理する場合、コンパクトディスクプレイヤのようにリアルタイムで再生データを処理する場合に比して、簡易に編集点等を設定するのが困難な問題がある。
【００１０】
すなわちリアルタイムで再生データを処理する場合においては、例えばスタートＩＤを仮設定した場合、再生動作を繰り返すことにより、このスタートＩＤの位置が所望の位置か否か即座に確認することができ、このスタートＩＤを変更する場合でも、簡易に変更することができる。
【００１１】
これに対してバッファメモリを介して再生データを処理する場合、スタートＩＤを確認するために、バッファメモリの分だけ余分に再生データを処理する必要があり、繰り返し再生してスタートＩＤを設定する場合等においては、操作が煩雑になる欠点がある。
【００１２】
本発明は以上の点を考慮してなされたもので、バッファメモリを介して再生データを処理する場合でも、簡易にスタートＩＤ等を設定することができる記録再生装置及び方法を提案しようとするものである。
【課題を解決するための手段】
【００１３】
かかる課題を解決するため本発明においては、データを記録媒体２２に記録すると共に記録媒体２２に記録されているデータを読み出して再生する記録再生装置１において、記録媒体２２から読み出されたデータを蓄積するメモリ手段６と、メモリ手段６から読み出されたデータを出力する出力手段４と、記録媒体２２にデータを記録する記録手段８と、出力手段４によるデータの出力中に編集点の設定が指示されたときには当該指示された際に出力中のデータの位置に対応するメモリ手段６上のアドレスデータの位置にマーカＭを設定し、アドレス変更の操作が実行されたときには当該操作に応動してマーカＭの位置を移動させ、移動後のマーカＭの位置に対応するメモリ手段６上のアドレスデータをマーカＭの位置として更新すると共に、更新されたメモリ手段６上のアドレスデータに対応する記録媒体２２上アドレスデータを検出し、検出した記録媒体２２におけるアドレスデータを記録媒体２２に記録させる制御手段１２とを設ける。
【発明の効果】
【００１４】
バッファメモリ上で編集点と決定した位置に対応するディスク上のアドレスを検出し、検出したディスク上のアドレスを編集点としてディスクに記録することにより、編集点を確定するまでの作業をメモリ上のアドレスを用いて行って確定した編集点の位置をディスク上のアドレスとして得、メモリ上のアドレスで決定した編集点をディスク上のアドレスに変換した後、ディスクに記録するようにしたことにより、いちいち再生動作を繰り返さなくても、簡易に編集点を決定、変更できる。
【発明を実施するための最良の形態】
【００１５】
以下図面について、本発明の一実施の形態を詳述する。
【００１６】
（１）実施の形態の構成
図１において、１は全体として光磁気ディスク装置を示し、ディスク状記録媒体を使用してディジタルオーディオ信号を記録再生する。
【００１７】
すなわち光磁気ディスク装置１においては、記録時、オーディオ信号Ａinをアナログディジタル変換回路（Ａ／Ｄ）２に与え、ここでディジタル信号に変換した後、デコーダエンコーダ４に出力する。
【００１８】
デコーダエンコーダ４は、記録時、入力されたディジタル信号を圧縮処理した後、誤り訂正用符号等を付加して所定フォーマットで出力する。
【００１９】
バッファメモリ６は、デコーダエンコーダ４の出力データを順次取り込むと共に、この出力データが所定量以上蓄積されると、この出力データを入力データの４倍の伝送速度で出力する。
【００２０】
これによりバッファメモリ６は、伝送速度を変換して、入力されたデータを間欠的に出力するようになされている。
【００２１】
このデータ出力の際、トラックジャンプ等の異常が発生すると、バッファメモリ６は、所定期間経過後、出力データを再出力し、これによりトラックジャンプ等の異常により出力データを記録し得ない場合、この出力データを再記録し得るようになされている。
【００２２】
データ処理回路８は、バッファメモリ６の出力データについて、インターリーブ処理等を実行した後、アドレスデータを付加して出力する。
【００２３】
ディスク駆動回路１０は、光磁気ディスクを高速度で回転駆動すると共に、データ処理回路８の出力データに応じて変調磁界形成用の磁気ヘッドを駆動する。
【００２４】
さらにディスク駆動回路１０は、所定のタイミングで光ビームを照射し、これによりデータ処理回路８の出力データを熱磁気記録する。
【００２５】
このときディスク駆動回路１０は、予め光磁気ディスク上に形成されたプリグルーブをモニタすることにより、トラックジャンプ等の異常を検出し、この検出結果をシステムコントローラ１２に出力する。
【００２６】
これによりシステムコントローラ１２においては、トラックジャンプ等の異常が発生すると、バッファメモリ６及びデータ処理回路８に制御データを出力して記録データを再出力するのに対し、ディスク駆動回路１０については制御データを出力して異常状態から復帰する。
【００２７】
これにより光磁気ディスク装置１においては、振動等の激しい場所でも、安定にオーディオ信号Ａinを記録し得るようになされている。
【００２８】
これに対してインターフェース回路１４を介してキー操作子（ＫＥＹ）１６が操作されたことが検出されると、システムコントローラ１２は、各回路ブロックに制御データを出力し、これにより全体の動作モードを切り換える。
【００２９】
さらにシステムコントローラ１２は、インターフェース回路１４を介して表示装置（ＤＳＰ）１８の表示を切り換え、これにより動作モード、記録再生時間等を表示する。
【００３０】
ここで再生モードになると、ディスク駆動回路１０は、記録時と同様に光磁気ディスクを回転駆動した状態で光量を低減して光ビームを照射し、光磁気ディスクの反射光ビームを検出する。
【００３１】
さらにディスク駆動回路１０は、反射光ビームの検出結果に基づいて再生データを生成し、データ処理回路８を介してこの再生データをバッファメモリ６に格納する。
【００３２】
このときディスク駆動回路１０は、同一の記録トラックを繰り返し再生すると共に、バッファメモリ６のデータ蓄積量をモニタしながら再生データを間欠的に出力し、これによりトラックジャンプした場合でも、バッファメモリ６に蓄積した再生データの処理が完了するまでの期間を利用して必要な再生データを繰り返し再生するようになされている。
【００３３】
データ処理回路８は、記録時とは逆に再生データを処理して出力するのに対し、バッファメモリ６は、入力データの伝送速度に対して、出力データの伝送速度を１／４に低減して出力する。
【００３４】
さらにバッファメモリ６は、間欠的に入力データを取り込むのに対し、出力データを連続的に出力し、これにより入出力データのレートを変換して出力する。
【００３５】
デコーダエンコーダ４は、再生時、記録時とは逆にデータを処理し、これにより誤り訂正処理、データ伸長処理を実行してディジタルオーディオ信号を復調する。
【００３６】
ディジタルアナログ変換回路（Ｄ／Ａ）２０は、デコーダエンコーダ４の出力データをアナログ信号に変換して出力し、これにより光磁気ディスク装置１においては、光磁気ディスクを再生してオーディオ信号Ａout を出力し得るようになされている。
【００３７】
この再生時、キー操作子１６が操作されて編集モードになると、システムコントローラ１２は、続くキー操作子１６の操作をモニタし、ここでマーカの操作子が押圧操作されると、図２に示す処理手順を実行する。
【００３８】
すなわち図３に示すようにシステムコントローラ１２は、ステップＳＰ１からステップＳＰ２に移り、ここでディスク駆動回路１０及びデータ処理回路８に制御信号を出力し、マーカの操作子が押圧操作された時点における再生中の再生データを基準にして（図３（Ａ））、その近傍の再生データをバッファメモリ６に格納する（図３（Ｂ））。
【００３９】
このときバッファメモリ６においては、光磁気ディスク上の絶対アドレスに対応してアドレス情報が割当てられるようになされ、これにより光磁気ディスク装置１においては、バッファメモリ６上で再生データを指定して、光磁気ディスク上の対応する位置を検出し得るようになされている。
【００４０】
続いてシステムコントローラ１２は、ステップＳＰ３に移り、バッファメモリ６に格納した再生データについて、デコーダエンコーダ４に出力を開始した後、ステップＳＰ４に移る。
【００４１】
ここでシステムコントローラ１２は、キー操作子１６をモニタしながらバッファメモリ６に格納した再生データを順次循環的に出力し、マーカ設定の操作子が押圧操作されると、この押圧操作のタイミングを検出してマーカＭを設定する（図３（Ｃ））。
【００４２】
すなわちシステムコントローラ１２は、マーカ設定の操作子が押圧操作された時点で、再生中の再生データについてアドレスデータを取り込み、これによりバッファメモリ６上でマーカを設定する。
【００４３】
続いてシステムコントローラ１２は、ステップＳＰ５に移り、ここでマーカの設定位置を再生ポイントＰに設定した後、再生ポイントＰの前後の再生データをバッファメモリ６から順次循環的に出力する（図３（Ｄ））。
【００４４】
この状態でマーカ変更の操作子が押圧操作されると、システムコントローラ１２は、この操作子の操作に応動してマーカＭの位置を前後に移動させる。
【００４５】
さらにシステムコントローラ１２は、マーカの更新に伴って再生ポイントＰを更新した後、所定期間経過すると、ステップＳＰ６に移る。
【００４６】
ここでシステムコントローラ１２は、マーカ設定についての確認の操作子が押圧操作されたか否か判断し、ここで否定結果が得られると、ステップＳＰ７に移り、バッファメモリ６の内容を更新する。
【００４７】
因に、この実施例においては、マーカの設定位置を棒グラフ状に表示するようになされ、これによりマーカ設定位置を簡易に確認し得るようになされている。
【００４８】
このときシステムコントローラ１２は、それまでバッファメモリ６に格納されていた再生データに代えて、その直前の再生データを一部重複するようにバッファメモリ６に格納した後、ステップＳＰ４に移って、処理手順を繰り返す。
【００４９】
これに対してシステムコントローラ１２は、確認の操作子が押圧操作されると、ステップＳＰ６において肯定結果が得られることにより、ステップＳＰ８に移り、ここでマーカＭの位置を内蔵のメモリ回路に格納する（図３（Ｅ））。
【００５０】
このときシステムコントローラ１２においては、バッファメモリ６上のアドレスデータに基づいて、光磁気ディスク２２上の対応するアドレスデータを検出し、このアドレスデータをマーカＭの位置としてメモリ回路に格納する（図３（Ｅ））。
【００５１】
かくしてバッファメモリ６上でマーカＭを設定した後、このマーカＭを基準にして対応する光磁気ディスク２２上のアドレスデータを検出することにより、いちいち光磁気ディスク２２を再生しなくても、簡易にマーカを設定することができる。
【００５２】
かくしてシステムコントローラ１２においては、このアドレスデータをスタートＩＤとして用いて、頭出し、編集作業等を実行し得るようになされ、アドレスデータをメモリ回路に格納すると、ステップＳＰ９に移って処理手順を終了する。
【００５３】
（２）実施の形態の効果
以上の構成によれば、バッファメモリ６上でマーカＭを設定した後、光磁気ディスク２２上の対応するアドレスデータを検出してスタートＩＤを設定することにより、いちいち光磁気ディスク２２を再生しなくてもスタートＩＤを設定変更し得、これによりバッファメモリ６を介して再生データを処理する場合でも、簡易にスタートＩＤを設定することができる。
【００５４】
（３）他の実施の形態
なお上述の実施の形態においては、システムコントローラに内蔵されたメモリ回路にスタートＩＤを記録する場合について述べたが、本発明はこれに限らず、光磁気ディスクの最内周に設けられたディスク管理用のデータ記録領域に記録するようにしてもよい。
【００５５】
すなわちこの種の光磁気ディスクにおいては、このデータ記録領域にユーザトックエリアが割当てられ、このユーザトックエリアのリザーブ用領域にスタートＩＤを記録することができ、この場合再生開始時にこのスタートＩＤを取り込むことにより、このスタートＩＤに従って頭出し等、再生データを処理することができる。
【００５６】
またこれに代え、ユーザトックエリアのスタートアドレス、エンドアドレスを直接更新するようにしてもよく、この場合スタートアドレス、エンドアドレスを利用してリピート再生することもできる。
【００５７】
さらに上述の実施の形態においては、スタートＩＤを設定する場合について述べたが、本発明はこれに限らず、編集処理の基準位置を設定する場合等に広く適用することができる。
【００５８】
さらに上述の実施の形態においては、光磁気ディスクを再生する場合について述べたが、本発明はこれに限らず、大容量のバッファメモリを介して、所望の記録媒体を再生する再生装置に広く適用することができる。
【産業上の利用可能性】
【００５９】
ディスク状記録媒体を有するディスク記録再生装置に利用できる。
【図面の簡単な説明】
【００６０】
【図１】本発明の一実施の形態による光磁気ディスク装置を示すブロック図である。
【図２】その動作の説明に供するフローチャートである。
【図３】その動作の説明に供する略線図である。
【符号の説明】
【００６１】
１……光磁気ディスク装置、６……バッファメモリ、１０……ディスク駆動回路、１２……システムコントローラ。
【図１】
2005093062.tif 000003
【図２】
2005093062.tif 000004
【図３】
2005093062.tif 000005